(57)【要約】【課題】平面状に形成される記録層を有する記録媒体に対する効率的な記録動作設定の実現。【解決手段】記録媒体は、平面状に形成される１又は複数の記録層を有し、記録層の一部の領域には、製造工程で予め記録されたプリフォーマットマーク列が形成されている。プリフォーマットマーク列には、少なくとも、記録層における記録動作に関する指定情報が記録されている。記録装置は、記録媒体が装填されたら、プリフォーマットマーク列に対して再生を行って記録動作に関する指定情報を取得し、取得した指定情報に基づいて記録層への記録動作を行う。【選択図】図７
2013225361.tif 000002
【特許請求の範囲】
【請求項１】
平面状に形成される１又は複数の記録層を有し、
上記記録層の一部の領域には、製造工程で予め記録されたプリフォーマットマーク列が形成されているとともに、
上記プリフォーマットマーク列には、少なくとも、上記記録層における記録動作に関する指定情報が記録されている記録媒体。
【請求項２】
上記プリフォーマットマーク列には、上記指定情報として、テストライトエリア配置情報と、上記記録層に形成するマーク列のトラックピッチ情報と、上記記録層のマーク列を形成するスパイラル数の情報と、上記記録層への記録のための記録条件情報とのうちの少なくとも一部が記録される請求項１に記載の記録媒体。
【請求項３】
上記記録層とは積層方向に異なる位置に、凹凸パターンが形成された基準面が設けられており、
上記基準面の凹凸パターンにより、少なくとも、上記記録層の再生条件情報が記録されている請求項１に記載の記録媒体。
【請求項４】
上記基準面の凹凸パターンにより、さらにアドレス情報が記録されている請求項３に記載の記録媒体。
【請求項５】
上記基準面には、上記記録層の再生条件情報が、基準面全域の範囲で繰り返し記録されている請求項３に記載の記録媒体。
【請求項６】
上記記録層の再生条件情報が少なくとも記録された上記基準面の凹凸パターンは、エンボスピット列又はウォブリンググルーブの形態で、製造工程において形成される請求項３に記載の記録媒体。
【請求項７】
平面状に形成される１又は複数の記録層を有し、上記記録層の一部の領域には、製造工程で予め記録されたプリフォーマットマーク列が形成されているとともに、上記プリフォーマットマーク列には、少なくとも、上記記録層における記録動作に関する指定情報が記録されている記録媒体に対して、レーザ照射を行って上記記録層についての記録及び再生動作を行う記録再生部と、
上記記録再生部に上記プリフォーマットマーク列の再生を実行させて上記指定情報を取得し、取得した上記指定情報に基づいて上記記録再生部による上記記録層への記録動作を制御する制御部と、
を備えた記録装置。
【請求項８】
上記制御部は、上記指定情報として、テストライトエリア配置情報と、上記記録層に形成するマーク列のトラックピッチ情報と、上記記録層のマーク列を形成するスパイラル数の情報と、上記記録層への記録のための記録条件情報のうちの少なくとも一部を取得し、取得した指定情報に基づいて、上記記録再生部による上記記録層への記録動作を制御する請求項７に記載の記録装置。
【請求項９】
上記記録媒体は、上記記録層とは積層方向に異なる位置に、凹凸パターンが形成された基準面が設けられ、上記基準面の凹凸パターンにより、少なくとも上記記録層の再生条件情報が記録されており、
上記制御部は、装填された上記記録媒体に対し、上記記録再生部により上記基準面の凹凸パターンについての再生を実行させて上記再生条件情報を取得し、取得した上記再生条件情報に基づいて、上記記録再生部による上記プリフォーマットマーク列に対する再生動作を制御する請求項７に記載の記録装置。
【請求項１０】
平面状に形成される１又は複数の記録層を有し、上記記録層の一部の領域には、製造工程で予め記録されたプリフォーマットマーク列が形成されているとともに、上記プリフォーマットマーク列には、少なくとも、上記記録層における記録動作に関する指定情報が記録されている記録媒体に対する再生方法として、
上記プリフォーマットマーク列に対して再生を行って上記指定情報を取得し、
取得した指定情報に基づいて上記記録層への記録動作を行う記録方法。
【発明の詳細な説明】
【技術分野】
【０００１】
本開示は記録媒体及び記録媒体に対して記録を行う記録装置、記録方法に関する。
【先行技術文献】
【特許文献】
【０００２】
【特許文献１】特開２００７−２７２９８８号公報
【背景技術】
【０００３】
光の照射により信号の記録又は再生が行われる光記録媒体として、例えばＣＤ（Compact Disc）、ＤＶＤ（Digital Versatile Disc）、ＢＤ（Blu-ray Disc：登録商標）などのいわゆる光ディスク記録媒体（以下、単に光ディスクとも表記）が広く普及している。
【０００４】
従来より、光ディスクについては、その情報記録密度の向上を図ることで大記録容量化が達成されてきた。具体的には、ピット列又はマーク列としてのトラックの形成ピッチを詰める、つまりは半径方向における記録密度を向上させる手法、及びピット又はマークのサイズ縮小化により線方向（半径方向に直交する方向）の記録密度を向上させる手法が採られてきた。
一方で、大記録容量化を図るにあたっては、記録層（記録面）の数を増加させるという手法も有効であり、現状においても２層ディスクや３層以上の多層ディスクが提案・実用化されている。
【発明の概要】
【発明が解決しようとする課題】
【０００５】
この光ディスク等の記録媒体として各種のものが提案されているが、本開示では平面状に形成される１又は複数の記録層を有する記録媒体について、記録装置が記録動作に必要な情報の記録形式として好適な記録形式を提案する。これにより記録装置が、記録媒体に対する効率的な記録動作設定を実行できるようにする。
【課題を解決するための手段】
【０００６】
本開示の記録媒体は、平面状に形成される１又は複数の記録層を有し、上記記録層の一部の領域には、製造工程で予め記録されたプリフォーマットマーク列が形成されているとともに、上記プリフォーマットマーク列には、少なくとも、上記記録層における記録動作に関する指定情報が記録されている。
【０００７】
本開示の記録装置は、平面状に形成される１又は複数の記録層を有し、上記記録層の一部の領域には、製造工程で予め記録されたプリフォーマットマーク列が形成されているとともに、上記プリフォーマットマーク列には、少なくとも、上記記録層における記録動作に関する指定情報が記録されている記録媒体に対して、レーザ照射を行って上記記録層についての記録及び再生動作を行う記録再生部と、上記記録再生部に上記プリフォーマットマーク列の再生を実行させて上記指定情報を取得し、取得した上記指定情報に基づいて上記記録再生部による上記記録層への記録動作を制御する制御部とを備える。
【０００８】
本開示の記録方法は、平面状に形成される１又は複数の記録層を有し、上記記録層の一部の領域には、製造工程で予め記録されたプリフォーマットマーク列が形成されているとともに、上記プリフォーマットマーク列には、少なくとも、上記記録層における記録動作に関する指定情報が記録されている記録媒体に対する再生方法として、上記プリフォーマットマーク列に対して再生を行って上記指定情報を取得し、取得した指定情報に基づいて上記記録層への記録動作を行う。
【０００９】
このような本開示において、記録媒体の記録層が平面状ということは、記録層は、記録するマーク列のガイドとなる凹凸形状（例えばウォブリンググルーブやピット列）を持たない平面として形成されているということである。
このような平面状の記録層の一部の領域については、製造工程上のプリフォーマット処理として、予めマーク列を記録しておく。そしてこのプリフォーマットマーク列の情報内容として、記録動作に関する指定情報を含むようにする。
これにより、記録装置が平面状の記録層に対して、プリフォーマットマーク列を再生することで記録動作のための各種設定や準備ができる。
また記録層が平面状であるということは、その平面に対するマーク列の記録動作は物理的には制限されないことになる。記録媒体からみれば、プリフォーマットマーク列への指定情報の記録により、その後の記録動作における物理的な形式を規定できることになる。
【発明の効果】
【００１０】
本開示によれば、記録媒体には製造工程で予め記録されたプリフォーマットマーク列により記録層における記録動作に関する指定情報が記録されている。このため記録装置は平面状の記録層に対して、プリフォーマットマーク列を再生することで記録動作のための各種設定や準備ができ、その後の記録動作を適切に実行できる。
また記録媒体はプリフォーマットによって、記録動作のための指定情報が記録できるため、プリフォーマット工程により、物理的な記録方式が異なる記録媒体を製造できることにもなる。
【図面の簡単な説明】
【００１１】
【図１】本開示の実施の形態の光ディスクの層構造の説明図である。
【図２】実施の形態の光ディスクのトラック構造の説明図である。
【図３】実施の形態の光ディスクへのサーボ動作の説明図である。
【図４】実施の形態の記録再生装置の光学系の構成の説明図である。
【図５】実施の形態の記録再生装置のブロック図である。
【図６】実施の形態の光ディスクの製造工程の説明図である。
【図７】実施の形態の光ディスクの製造工程におけるプリフォーマットの説明図である。
【図８】実施の形態のＯＰＣエリアのトラックの説明図である。
【図９】実施の形態の光ディスクのエリア構成例の説明図である。
【図１０】実施の形態の基準面メディア情報の説明図である。
【図１１】実施の形態の基準面のデータ構造の説明図である。
【図１２】実施の形態のプリフォーマットメディア情報の説明図である。
【図１３】実施の形態のプリフォーマットメディア情報のＤＩの説明図である。
【図１４】実施の形態の記録再生装置のディスク装填時処理のフローチャートである。
【発明を実施するための形態】
【００１２】
以下、実施の形態を次の順序で説明する。
＜１．記録媒体の層構造＞
＜２．基準面を利用した位置制御手法＞
＜３．記録再生装置＞
＜４．多層記録媒体の製造工程＞
＜５．ディスクのエリア構造及びＯＰＣ＞
＜６．基準面メディア情報＞
＜７．プリフォーマットメディア情報＞
＜８．ディスク装填時の動作＞
＜９．変形例＞
【００１３】
＜１．記録媒体の層構造＞
図１は実施の形態の記録媒体としての多層記録媒体１の断面構造を示している。この多層記録媒体１は例えばＣＤ、ＤＶＤ、ＢＤと同様の直径１２ｃｍ、厚み１．２ｍｍ程度の光ディスクなどとして実現される。図１は厚み方向の断面構造を模式的に示したものである。
この図１に示されるように、多層記録媒体１には、図における上層側から順にカバー層２、複数の記録層３が形成された記録層形成領域５、接着層６、反射膜７、及び基板８が形成されている。
ここで、後述する記録再生装置１０側からのレーザ光が入射する面はカバー層２側となる。レーザ入射面２ａとは、カバー層２の表面となる。以下の説明上では、レーザ入射方向を基準として、レーザ入射面２ａ側を「手前側」、基板８側を「奥側」ともいうこととする。
【００１４】
多層記録媒体１において、カバー層２は、例えば樹脂で構成され、その奥側に形成された記録層形成領域５の保護層として機能する。
【００１５】
記録層形成領域５は、図のように複数の記録層３と、それらの間に挿入された中間層４とを有して構成される。つまりこの場合の記録層形成領域５は、記録層３→中間層４→記録層３→中間層４・・・→記録層３の繰り替えし積層が行われて形成されたものとなっている。
記録層３は、半透明記録膜で構成される。中間層４は、例えば熱可塑性樹脂や紫外線硬化樹脂など樹脂材料で構成される。
【００１６】
この図では、記録層形成領域５内には６つの記録層３が形成されるものとしているが、これはあくまで一例であって、記録層数は「６」以外とすることができる。
各記録層３は、レーザ入射面２ａからみて奥側から順にレイヤＬ０，Ｌ１，Ｌ２・・・と呼ばれる。この例は６層構造であるため、記録層３としてレイヤＬ０〜Ｌ５が形成されている。
【００１７】
ここで、記録層形成領域５において、それぞれの記録層３には、図からも明らかなようにグルーブやピット列等の形成に伴う位置案内子（凹凸パターン）が形成されていない。すなわち、各記録層３は平面状に形成されているものである。
このような記録層形成領域５の作成にあたっては、現状の多層ディスクの製造で必要とされる記録層ごとの位置案内子の形成工程を不要とでき、結果、多層記録媒体１の製造コスト、量産コストを効果的に削減できる。
記録層３が平面状であるということは、記録層３には予め凹凸パターンによるアドレス情報等が形成されていないということである。この記録層３には情報の記録の際、即ち主たる情報であるユーザデータや管理情報の記録の際に、その主たる情報の記録に伴ってアドレス情報が記録される。つまり主データ（ユーザデータや管理情報という主たる記録目的のデータ）に、アドレス情報が埋め込まれてエンコードされ、そのエンコードされた記録データが記録されることになる。
【００１８】
記録層３には、記録動作に伴ってトラックが形成されていく。
トラックは図２Ａに示すようにダブルスパイラル状に形成される例や、図２Ｂのようにシングルスパイラル状に形成される例が考えられる。シングルスパイラル状のトラックとは、従前のＣＤやＤＶＤ等と同様のトラックである。
ダブルスパイラル状のトラックとは、図２Ａに実線と破線で示すように、２つのスパイラルトラックＳＰ−Ａ、ＳＰ−Ｂが形成されるものである。
ダブルスパイラル状のトラック構造は、例えば２つの記録ビームで同時にスパイラルトラックを形成していく方式でも可能であるし、１つの記録ビームで１つのスパイラルトラックＳＰ−Ａを或るトラックピッチで形成した後、そのトラック間に、２つめのスパイラルトラックＳＰ−Ｂを形成していくという方式でも可能である。
なお、ここではダブル（２重）スパイラルの例を示したが、３重スパイラル、４重スパイラルというように、よりスパイラルを多重化したトラック構成も考えられる。
【００１９】
図１のように記録層形成領域５よりも奥側には、所要の接着材料で構成された接着層（中間層）６を介して、反射膜７が形成されている。
この反射膜７には、記録／再生位置を案内するための位置案内子が形成される。なお反射膜に位置案内子が形成されているというのは、位置案内子が形成されている界面上に反射膜が形成されるという意味である。
【００２０】
具体的に、この場合は、図中の基板８の一方の面側に対して位置案内子が形成されることで、図のような凹凸の断面形状が与えられ、基板８の該凹凸断面形状が与えられた面上に対し反射膜７が成膜されることで、該反射膜７に位置案内子が形成されたものとなっている。
なお、基板８は、例えばポリカーボネートなどの樹脂で構成される。この基板８は、例えば上記位置案内子としての凹凸断面形状を与えるためのスタンパを用いた射出成形などによって生成することができる。
【００２１】
ここで、現状の記録可能型光ディスクで行われているように、上記位置案内子の形成により、多層記録媒体１の記録面内方向に平行な方向における絶対位置を表すアドレス情報を記録することができる。例えばこの絶対位置情報は、上記位置案内子がグルーブで形成される場合には当該グルーブの蛇行（ウォブル）周期の変調により記録することができ、また上記位置案内子がピット列で形成される場合には、ピットの長さや形成間隔の変調により記録を行うことができる。
後述するが、さらに本実施の形態の多層記録媒体１には、上記位置案内子はアドレス情報だけでなく、記録層３の再生条件情報等を含むメディア情報も記録されている。
【００２２】
なお、上記のように記録層３に対しては位置案内子が形成されておらず、記録層３上の記録位置の制御は、以下で説明するように位置案内子が形成された反射膜７からの反射光に基づき行われることになる。
この意味で、以下、位置案内子が形成された反射膜７（反射面）のことを、「基準面Ｒｅｆ」と表記する。また基準面Ｒｅｆに凹凸パターンで記録されたアドレス情報を、記録層３に記録されるアドレスと区別する意味で「基準面アドレス」と呼ぶこととする。また記録層３に主たる情報と共に記録されるアドレスを「記録層アドレス」と呼ぶ。
【００２３】
さらに多層記録媒体１には、基準面Ｒｅｆの凹凸パターンでは、記録層３の再生条件情報等を含むメディア情報が記録されるが、これを後述する記録層３におけるプリフォーマットマーク列で記録されるメディア情報と区別するため、「基準面メディア情報」という。
【００２４】
記録層３に位置案内子が形成されないことで、上述のようにコストアップを招かない多層記録媒体製造が可能となる。但しこの場合、アドレスの存在しない記録層３に対し適切にアクセスを行うために、記録層３と積層した状態で基準面Ｒｅｆを設ける。基準面Ｒｅｆには、ウォブリンググルーブやピット列などの凹凸パターンでアドレスを予め形成しておく。このようにすることで、基準面Ｒｅｆのアドレスを頼りに多層記録媒体１上の所望の位置にアクセスすることができる。
【００２５】
また、記録再生装置では、再生のために各種の再生条件に基づいた設定が必要になる。基準面Ｒｅｆに基準メディア情報として、記録層３の再生条件情報が記録されていれば、記録再生装置は例えば多層記録媒体１が装填されたときに、容易に再生条件情報を取得できる。
【００２６】
さらに記録再生装置では、記録のために各種の再生条件に基づいた設定やＯＰＣ（Optimum Power Control）動作などが必要になる。このためＯＰＣに用いるＯＣＰエリア（テストライトエリア）の配置位置を指定する情報や、記録層３に形成するマーク列のトラックピッチを指定する情報、記録層のマーク列を形成するスパイラル数を指定する情報（例えば図２のダブルスパイラル、シングルスパイラルのいずれかを指定する情報）が必要になる。さらには各記録層３での記録速度に応じたライトストラテジを指定する情報など、記録層３への記録のための記録条件情報も必要になる。
本例の多層記録媒体１では、これらの記録動作に関する指定情報を、製造段階で記録層３にプリフォーマットマーク列を形成して記録する。
説明上、上記の「基準面メディア情報」との区別のため、プリフォーマットマーク列に記録される情報については「プリフォーマットメディア情報」又は「ＰＦメディア情報」と記述する。
【００２７】
＜２．基準面を利用した位置制御手法＞
図３は、基準面Ｒｅｆに形成された位置案内子を利用した位置制御手法についての説明図である。
上記構成による多層記録媒体１に対しては、記録層３を対象として照射されるべき記録層用レーザ光についての位置制御の実現のため、該記録層用レーザ光と共に、基準面Ｒｅｆにおける位置案内子に基づく位置制御を行うためのレーザ光（以下、基準面用レーザ光と表記する）を照射することになる。
具体的に、これら記録層用レーザ光と基準面用レーザ光とは、図３Ａのように共通の対物レンズ２０を介して多層記録媒体１に対して照射する。
このとき、正確なトラッキングサーボの実現のため、記録層用レーザ光と基準面用レーザ光の光軸は一致させるようにする。
【００２８】
記録層３（所要の半透明記録膜）を対象としたマークの記録時には、図３Ａのように基準面用レーザ光を反射膜７の反射面（基準面Ｒｅｆ）に合焦させるように照射して、その反射光に基づいて得られるトラッキングエラー信号に従って、対物レンズ２０の位置制御を行う。つまりトラッキングサーボをかける。
これにより、同じ対物レンズ２０を介して照射される記録層用レーザ光のトラッキング方向における位置を、所望の位置に制御することができる。
【００２９】
一方、再生時における位置制御は、以下のようにして実現できる。
再生時においては、記録層３にマーク列（つまり記録済みトラック）が形成されているので、該マーク列を対象として記録層用レーザ光単体でトラッキングサーボをかけることができる。すなわち、再生時におけるトラッキングサーボは、記録層用レーザ光の反射光に基づいて得られるトラッキングエラー信号に従って対物レンズ２０の位置制御を行うことで実現できる。
【００３０】
ここで、上記のような位置制御手法において、基準面用レーザ光として記録層用レーザ光と同波長帯の光を用いてしまうと、基準面用レーザ光の反射光を得るべき基準面Ｒｅｆについて、記録層用レーザ光についての反射率を高めざるを得なくなってしまう。すなわち、その分、迷光成分が増大して再生性能を著しく悪化させてしまう虞がある。
このため、基準面用レーザ光と記録層用レーザ光とはそれぞれ波長帯の異なる光を用いるものとし、基準面Ｒｅｆを形成する反射膜７として波長選択性を有する反射膜を用いる。
具体的に本例の場合、記録層用レーザ光の波長はＢＤの場合と同様の４０５ｎｍ程度、基準面用レーザ光の波長はＤＶＤの場合と同様の６５０ｎｍ程度とされる。そして、反射膜７としては、基準面用レーザ光と同波長帯の光を選択的に反射し、それ以外の波長による光は透過又は吸収する波長選択性反射膜を用いる。
このような構成により、基準面Ｒｅｆから記録層用レーザ光の不要な反射光成分が生じてしまうことを防止でき、良好なＳ／Ｎ（信号対雑音比）を確保できる。
【００３１】
図３Ｂは記録層用レーザ光として２つのレーザ光を照射する例である。２つの記録層用レーザ光を照射するのは、例えばダブルスパイラル状のトラックを同時に記録又は再生するようにする場合や、或いはダブルスパイラルやシングルスパイラルにかかわらず、記録層３において既に記録されたトラックに沿って隣のトラックの記録を行う隣接トラックサーボ（ＡＴＳ：Adjacent Track Servo）を採用する場合などである。
【００３２】
簡単に述べておくと、ＡＴＳとは、２つの記録層用レーザ光の一方を記録用スポット、他方をサーボ用スポットとする。そして既に（例えば１周回前の時点に）記録されたトラックにサーボ用スポットを照射して、トラッキングサーボを行いながら、記録用スポットで、当該サーボ用スポットを照射しているトラックの隣のトラックを記録していくというものである。
ＡＴＳを採用する場合は、記録中には必ずしも基準面Ｒｅｆを用いたトラッキングサーボはしなくてもよいといえる。但し、記録開始位置までのシークには、基準面Ｒｅｆを用いたトラッキングやアドレス読込が必要となる。
また詳述は避けるが、実際にはＡＴＳ実行中は、誤差成分の蓄積によりサーボ制御が不正確になることが多い。そのためＡＴＳ実行中に基準面Ｒｅｆの情報でサーボ動作を補正することも行われる。このため、ＡＴＳ方式を採用する場合の記録時にも、基準面Ｒｅｆはトラッキング制御のために用いられることとなる。
【００３３】
＜３．記録再生装置＞
続いて、図４及び図５を参照して、実施の形態としての記録再生装置１０の構成について説明する。
実施の形態の記録再生装置１０は多層記録媒体１としての光ディスクに対する記録機能と共に再生機能を有する。
【００３４】
図４は、記録再生装置１０が備える主に光学系の構成についての説明図であり、具体的には、記録再生装置１０が備える光ピックアップＯＰの内部構成を主に示している。
なお、ここでは図３Ｂに示したように、記録層用レーザ光として２つのレーザ光を出力するとともに、基準面用レーザ光を出力する構成例で述べる。
図３Ａで述べた方式の場合は、以下で述べる２系統の記録層用レーザ光の系が１系統となると理解すればよい。
【００３５】
先ず、記録再生装置１０に装填された多層記録媒体１は、当該記録再生装置１０における所定位置においてそのセンターホールがクランプされるようにしてセットされ、図中のスピンドルモータ３０による回転駆動が可能な状態とされる。
記録再生装置１０には、スピンドルモータ３０により回転駆動される多層記録媒体１に対して記録再生のためのレーザ光を照射するための構成として、光ピックアップＯＰが設けられる。
【００３６】
光ピックアップＯＰ内には、記録層用レーザ光の光源である記録層用レーザ１１-1、１１-2とが設けられる。
また、基準面Ｒｅｆに形成された位置案内子を利用した位置制御及び基準面アドレスの読出を行うための光である基準面用レーザ光の光源である基準面用レーザ２４が設けられる。
【００３７】
また、光ピックアップＯＰには、記録層用レーザ光と基準面用レーザ光の多層記録媒体１への出力端となる対物レンズ２０が設けられる。さらに、記録層用レーザ光の多層記録媒体１からの反射光を受光するための記録層用受光部２３と、基準面用レーザ光の多層記録媒体１からの反射光を受光するための基準面用受光部２９とが設けられる。
【００３８】
そして、光ピックアップＯＰにおいては、記録層用レーザ光を対物レンズ２０に導くと共に、該対物レンズ２０に入射した多層記録媒体１からの反射光を記録層用受光部２３に導くための光学系が形成される。
なお２系統の記録層用レーザ光は、例えば記録時には、一方が記録のためのレーザ光、他方がＡＴＳサーボのためのレーザ光として用いられる。
また再生時には、両レーザ光を再生用レーザとし、ダブルスパイラルトラックの各スパイラルに対して同時に再生を行うこともできる。
但し、このような使用に限定されるものではない。例えば記録時に２つの記録層用レーザ光を共に記録用として用い、ダブルスパイラルトラックを同時形成していくことも可能である。
さらに、ここでは光ピックアップＯＰが１つの構成例で説明するが、記録再生装置１０が複数の光ピックアップＯＰを備えることも当然想定される。その場合、各光ピックアップＯＰにおける１又は２系統の記録層用レーザ光の役割（利用方式）は多様に考えられる。
【００３９】
図４の例に則して、記録層用レーザ光のための光学系を具体的に説明する。
記録層用レーザ１１-1、１１-2より出射された２系統の記録層用レーザ光は、図のようにコリメートレンズ１２を介して平行光となるように変換された後、偏光ビームスプリッタ１３に入射する。
偏光ビームスプリッタ１３は、このように光源側から入射した記録層用レーザ光については透過するように構成されている。
【００４０】
偏光ビームスプリッタ１３を透過した記録層用レーザ光は、固定レンズ１４、可動レンズ１５、及びレンズ駆動部１６を有して構成されるフォーカス機構に入射する。このフォーカス機構は、記録層用レーザ光についての合焦位置の調整のために設けられたものであり、これらの記録層用レーザ１１-1、１１-2に近い側が固定レンズ１４とされ、遠い側に可動レンズ１５が配置され、レンズ駆動部１６によって可動レンズ１５側がレーザ光軸に平行な方向に駆動されるように構成されている。
【００４１】
上記フォーカス機構を形成する固定レンズ１４及び可動レンズ１５を介した記録層用レーザ光は、ミラー１７にて反射された後、１／４波長板１８を介してダイクロイックプリズム１９に入射する。
ダイクロイックプリズム１９は、その選択反射面が、記録層用レーザ光と同波長帯の光は反射し、それ以外の波長による光は透過するように構成されている。従って上記のように入射した記録層用レーザ光は、ダイクロイックプリズム１９にて反射される。
【００４２】
ダイクロイックプリズム１９で反射された記録層用レーザ光は、図示するように対物レンズ２０を介して多層記録媒体１（目的の記録層３）に対して照射（合焦）される。
対物レンズ２０に対しては、該対物レンズ２０をフォーカス方向（多層記録媒体１に対して接離する方向）、及びトラッキング方向（上記フォーカス方向に直交する方向：ディスク半径方向）に変位可能に保持する２軸アクチュエータ２１が設けられる。
２軸アクチュエータ２１には、フォーカスコイル、トラッキングコイルが備えられ、それぞれに駆動信号（後述するドライブ信号ＦＤ-sv、ＴＤ）が与えられることで、対物レンズ２０をフォーカス方向、トラッキング方向にそれぞれ変位させる。
【００４３】
ここで、上記のように多層記録媒体１に対し記録層用レーザ光が照射されることに応じては、該多層記録媒体１（再生対象とする記録層３）より記録層用レーザ光の反射光が得られる。
この記録層用レーザ光の反射光は、対物レンズ２０を介してダイクロイックプリズム１９に導かれ、該ダイクロイックプリズム１９にて反射される。
ダイクロイックプリズム１９で反射された記録層用レーザ光の反射光は、１／４波長板１８→ミラー１７→フォーカス機構（可動レンズ１５→固定レンズ１４）を介した後、偏光ビームスプリッタ１３に入射する。
【００４４】
このように偏光ビームスプリッタ１３に入射する記録層用レーザ光の反射光は、往路と復路とで１／４波長板１８を２回通過することで、往路光との比較でその偏光方向が９０度回転していることになる。この結果、上記のように入射した記録層用レーザ光の反射光は、偏光ビームスプリッタ１３にて反射される。
【００４５】
偏光ビームスプリッタ１３にて反射された記録層用レーザ光の反射光は、集光レンズ２２を介して記録層用受光部２３の受光面上に集光する。
ここで、記録層用受光部２３が記録層用レーザ光の反射光を受光して得られる受光信号のことを、以下、受光信号ＤＴ-rと表記する。
【００４６】
また、光ピックアップＯＰ内には、基準面用レーザ２４より出射された基準面用レーザ光を対物レンズ２０に導き且つ、該対物レンズ２０に入射した多層記録媒体１からの基準面用レーザ光の反射光を基準面用受光部２９に導くための光学系が形成される。
図示するように、基準面用レーザ２４より出射された基準面用レーザ光は、コリメートレンズ２５を介して平行光となるように変換された後、偏光ビームスプリッタ２６に入射する。偏光ビームスプリッタ２６は、このように基準面用レーザ２４側から入射した基準面用レーザ光（往路光）は透過するように構成される。
【００４７】
偏光ビームスプリッタ２６を透過した基準面用レーザ光は、１／４波長板２７を介してダイクロイックプリズム１９に入射する。
先に述べたように、ダイクロイックプリズム１９は記録層用レーザ光と同波長帯の光は反射しそれ以外の波長による光は透過するように構成されているため、基準面用レーザ光はダイクロイックプリズム１９を透過し、対物レンズ２０を介して多層記録媒体１（基準面Ｒｅｆ）に照射される。
【００４８】
また、このように多層記録媒体１に基準面用レーザ光が照射されたことに応じて得られる基準面用レーザ光の反射光（基準面Ｒｅｆからの反射光）は、対物レンズ２０を介した後ダイクロイックプリズム１９を透過し、１／４波長板２７を介して偏光ビームスプリッタ２６に入射する。
このように多層記録媒体１側から入射した基準面用レーザ光の反射光は往路と復路とで１／４波長板２７を２回通過しているためその偏光方向が往路光との比較で９０度回転しおり、従って基準面用レーザ光の反射光は偏光ビームスプリッタ２６にて反射される。
【００４９】
偏光ビームスプリッタ２６にて反射された基準面用レーザ光の反射光は、集光レンズ２８を介して基準面用受光部２９の受光面上に集光する。
ここで、基準面用受光部２９が基準面用レーザ光の反射光を受光して得られる受光信号については、受光信号ＤＴ-svと表記する。
【００５０】
ここで、先の図１に示したように多層記録媒体１は、記録層形成領域５よりも奥側に基準面Ｒｅｆが設けられるので、記録時には、このように記録層形成領域５の奥側に設けられた基準面Ｒｅｆに対して基準面用レーザ光が合焦するように対物レンズ２０のフォーカスサーボ制御が行われる。その上で、記録層用レーザ光については、記録層用レーザ光の反射光に基づくフォーカスサーボ制御によって先のフォーカス機構（レンズ駆動部１６）を駆動することで、記録層用レーザ光が基準面Ｒｅｆよりも手前側に形成された記録層３に合焦するように、対物レンズ２０に入射する記録層用レーザ光のコリメーション状態が調整されることになる。
【００５１】
また、再生時における記録層用レーザ光のトラッキングサーボ制御については、該記録層用レーザ光のスポットを、再生対象とする記録層３に形成されたマーク列に追従させるようにして行う。すなわち、再生時における記録層用レーザ光についてのトラッキングサーボ制御は、当該記録層用レーザ光の反射光に基づき対物レンズ２０の位置を制御することで実現できる。
なお、再生時のフォーカスサーボ制御は、記録時と同様でよい。
【００５２】
図５は、実施の形態の記録再生装置１０全体の内部構成を示している。
なお図５において、光ピックアップＯＰの内部構成については、図４に示した構成のうち記録層用レーザ１１-1、１１-2、レンズ駆動部１６、及び２軸アクチュエータ２１のみを抽出して示している。
またこの図では、図４に示したスピンドルモータ３０の図示は省略している。
【００５３】
図５において、記録再生装置１０における光ピックアップＯＰの外部には、多層記録媒体１における記録層３を対象とした記録／再生や、記録層３からの反射光に基づくフォーカス／トラッキングの位置制御を行うための構成として、記録処理部３１、発光駆動部３２、発光駆動部３３、記録層用信号生成回路３４、再生処理部３５、記録層用サーボ回路３６、フォーカスドライバ４０、及び２軸ドライバ４１が設けられている。
【００５４】
記録処理部３１は、入力される記録データに応じた記録変調符号を生成する。具体的に記録処理部３１は、入力される記録データに対してエラー訂正符号の付加や所定の記録変調符号化処理を施すなどして、記録層３を対象として実際に記録されるべき例えば「０」「１」の２値データ列である記録変調符号列を得る。
このとき、記録処理部３１は、後述するコントローラ４４からの指示に応じて記録データに対するアドレス情報（記録層アドレス）の付加処理も行う。
記録処理部３１は、生成した記録変調符号列に基づく記録信号を発光駆動部３３、３２の一方又は両方に与える。
【００５５】
例えばシングルスパイラル状又はダブルスパイラル状のトラックを形成するためにＡＴＳ（隣接トラックサーボ）を実行する場合は、記録時には２系統の記録層用レーザ光のうちの一方で記録を行い、他方は再生パワーで隣接トラックへのトラッキングを行うことになる。このため、記録処理部３１が生成した記録信号は一方の発光駆動部３３のみに与えられ、発光駆動部３３は、記録時において記録処理部３１より入力される記録信号に基づくレーザ駆動信号Ｄｒを生成し、該駆動信号Ｄｒに基づき記録層用レーザ１１-1を発光駆動する。これにより記録層３に対し記録データに応じたマーク列を記録できる。
このとき他方の発光駆動部３２は、記録層用レーザ１１-2を再生パワーにより発光駆動する。
【００５６】
また例えば基準面Ｒｅｆを用いたトラッキング制御を行いながら、２系統の記録層用レーザ光の両方で同時にダブルスパイラル記録を行うこともできる。このような場合は、記録処理部３１が生成した記録信号を、発光駆動部３２，３３に振り分けて与える。発光駆動部３２，３３は、記録信号に基づくレーザ駆動信号Ｄｒを生成し、該駆動信号Ｄｒに基づき記録層用レーザ１１-1、１１-2が発光駆動される。これにより記録層３に対し記録データに応じたマーク列を記録できる。
【００５７】
記録層用信号生成回路３４は、先の図４に示した記録層用受光部２３としての複数の受光素子からの受光信号ＤＴ-r（出力電流）に基づき、ＲＦ信号（再生信号）、フォーカスエラー信号ＦＥ-r、トラッキングエラー信号ＴＥ-rを生成する。
フォーカスエラー信号ＦＥ-rは、記録／再生対象とされた記録層３に対する記録層用レーザ光のフォーカス誤差を表す信号となる。またトラッキングエラー信号ＴＥ-rは、記録層３に形成されたトラックに対する記録層用レーザ光のスポット位置の半径方向における位置誤差を表す信号となる。
記録層用信号生成回路３４で得られたＲＦ信号は再生処理部３５に、またフォーカスエラー信号ＦＥ-r、トラッキングエラー信号ＴＥ-rは記録層用サーボ回路３６にそれぞれ供給される。
【００５８】
再生処理部３５は、ＲＦ信号に対する２値化処理、及び記録変調符号の復号化やエラー訂正処理等の所定の復調処理を施すことで、先の記録データを復元した再生データを得る。
また、再生処理部３５では、記録データ中に挿入された記録層アドレスの再生処理も行う。再生処理部３５で再生された記録層アドレスはコントローラ４４に供給される。
また後述するように多層記録媒体１にはプリフォーマットマーク列によるＰＦメディア情報が記録されている。プリフォーマットエリアの再生時には、再生処理部３５はＰＦメディア情報の復調も行い、ＰＦメディア情報をコントローラ４４に供給する。
【００５９】
記録層用サーボ回路３６は、フォーカスエラー信号ＦＥ-r、トラッキングエラー信号ＴＥ-rに対するサーボ演算処理を行ってフォーカスサーボ信号ＦＳ-r、トラッキングサーボ信号ＴＳ-rを生成する。
トラッキングサーボ信号ＴＳ-rは、後述するスイッチＳＷに対して供給される。
【００６０】
また、フォーカスサーボ信号ＦＳ-rは、フォーカスドライバ４０に供給される。フォーカスドライバ４０はフォーカスサーボ信号ＦＳ-rに基づくフォーカスドライブ信号ＦＤ-rを生成し、該フォーカスドライブ信号ＦＤ-rに基づきレンズ駆動部１６を駆動する。
これにより、記録層用レーザ光についてのフォーカスサーボ制御、即ち記録層用レーザ光を記録対象とする記録層３に合焦させるフォーカスサーボ制御が実現される。
【００６１】
また、記録層用サーボ回路３６は、スライド駆動部４２による光ピックアップＯＰのスライド移動についての制御も行う。
スライド駆動部４２は、光ピックアップＯＰ全体をトラッキング方向にスライド駆動可能に保持する。
記録層用サーボ回路３６は、トラッキングエラー信号ＴＥ-rの低域成分を抽出してスライドエラー信号を生成し、該スライドエラー信号に基づくスライドサーボ信号を生成する。そして、該スライドサーボ信号をスライドドライバ４３に与えてスライド駆動部４２を駆動させることで、光ピックアップＯＰのスライドサーボ制御を実現する。また、記録層用サーボ回路３６は、コントローラ４４からの指示に応じた制御信号をスライドドライバ４３に与えることで、スライド駆動部４２による光ピックアップＯＰの所要のスライド移動を実現させる。
また、記録層用サーボ回路３６は、コントローラ４４からの指示に応じ、トラッキングサーボをオフとして記録層用レーザ光のスポットを他のトラックにジャンプさせるトラックジャンプ動作の実行制御も行う。
【００６２】
記録再生装置１０には、基準面用レーザ光の反射光についての信号処理系として、基準面用信号生成回路３７、アドレス検出部３８、基準面用サーボ回路３９が設けられる。
【００６３】
基準面用信号生成回路３７は、図４に示した基準面用受光部２９における複数の受光素子からの受光信号ＤＴ-svに基づき、必要な信号を生成する。
具体的に基準面用信号生成回路３７は、受光信号ＤＴ-svに基づき、基準面Ｒｅｆに形成された位置案内子（ピット列）に対する基準面用レーザ光のスポット位置の半径方向における位置誤差を表すトラッキングエラー信号ＴＥ-svを生成する。
また基準面用信号生成回路３７は、基準面Ｒｅｆ（反射膜７）に対する基準面用レーザ光のフォーカス誤差を表すフォーカスエラー信号ＦＥ-svを生成する。
また基準面用信号生成回路３７は、基準面Ｒｅｆに記録されたアドレス情報を検出するための信号として、アドレス検出用信号Ｄadを生成する。基準面Ｒｅｆにピット列が形成される場合、このアドレス検出用信号Ｄadとしては和信号を生成すればよい。
【００６４】
基準面用信号生成回路３７により生成されたアドレス検出用信号Ｄadは、アドレス検出部３８に供給される。アドレス検出部３８は、アドレス検出用信号Ｄadに基づき基準面Ｒｅｆに記録された基準面アドレスＡＤＲを検出する。検出された基準面アドレスＡＤＲはコントローラ４４に供給される。
なお、基準面Ｒｅｆには基準面アドレスとともに基準面メディア情報が記録されている。アドレス検出部３８は、アドレス検出用信号Ｄadから基準面メディア情報も復号し、コントローラ４４に供給する。
【００６５】
また、基準面用信号生成回路３７により生成されたフォーカスエラー信号ＦＥ-sv、トラッキングエラー信号ＴＥ-svは、基準面用サーボ回路３９に供給される。
基準面用サーボ回路３９は、フォーカスエラー信号ＦＥ-sv、トラッキングエラー信号ＴＥ-svに対するサーボ演算処理を行ってフォーカスサーボ信号ＦＳ-sv、トラッキングサーボ信号ＴＳ-svを生成する。
【００６６】
フォーカスサーボ信号ＦＳ-svは、２軸ドライバ２１に供給される。２軸ドライバ４１は、フォーカスサーボ信号ＦＳ-svに基づくフォーカスドライブ信号ＦＤ-svを生成し、該フォーカスドライブ信号ＦＤ-svに基づき２軸アクチュエータ２１のフォーカスコイルを駆動する。
これにより、基準面用レーザ光についてのフォーカスサーボ制御、即ち基準面用レーザ光を基準面Ｒｅｆに合焦させるフォーカスサーボ制御が実現される。
【００６７】
また、基準面用サーボ回路３９は、スライド駆動部４２による光ピックアップＯＰのスライド移動についての制御も行う。
具体的に、基準面用サーボ回路３９は、トラッキングエラー信号ＴＥ-svの低域成分を抽出してスライドエラー信号を生成し、該スライドエラー信号に基づくスライドサーボ信号を生成する。そして、該スライドサーボ信号をスライドドライバ４３に与えてスライド駆動部４２を駆動させることで、光ピックアップＯＰのスライドサーボ制御を実現する。また、基準面用サーボ回路３９は、コントローラ４４からの指示に応じた制御信号をスライドドライバ４３に与えることで、スライド駆動部４２による光ピックアップＯＰの所要のスライド移動を実現させる。
【００６８】
また、基準面用サーボ回路３９は、コントローラ４４からの指示に応じて、トラッキングサーボをオフとして基準面用レーザ光のスポットを他のトラックにジャンプさせるトラックジャンプ動作の実行制御も行う。
【００６９】
基準面用サーボ回路３９により生成されたトラッキングサーボ信号ＴＳ−ｓｖは、スイッチＳＷのｔ２端子に供給される。
【００７０】
なお演算器４６には、トラッキングサーボ信号ＴＳ−ｒ、ＴＳ−ｓｖが供給され、所定の演算処理で、ＡＴＳサーボのためのトラッキングサーボ信号ＴＳ−ａｔｓが生成される。トラッキングサーボ信号ＴＳ−ａｔｓはスイッチＳＷのｔ３端子に供給される。
【００７１】
ここで、スイッチＳＷは、対物レンズ２０のトラッキングサーボ制御について、基準面用レーザ光を基準面Ｒｅｆ上の位置案内子に追従させるトラッキングサーボ制御と、記録層用レーザ光を記録層３上のトラックに追従させるトラッキングサーボ制御と、記録時のＡＴＳ制御を切り替えるために設けられる。
例えば再生時は、記録層用レーザ光を記録層３上のトラックに追従させるトラッキングサーボ制御が可能である。
記録時には隣接トラックにトラッキングしながら記録を行うＡＴＳ制御を行う。
再生や記録のためのアクセス時（シーク時）は、基準面用レーザ光を基準面Ｒｅｆ上の位置案内子に追従させるトラッキングサーボ制御を行う。
【００７２】
スイッチＳＷは、コントローラ４４からの指示に応じ、トラッキングサーボ信号ＴＳ−ｒ、ＴＳ−ｓｖ、ＴＳ−ａｔｓの何れかを選択的に出力する。
スイッチＳＷにより選択出力されたトラッキングサーボ信号ＴＳは、２軸ドライバ４１に供給され、２軸ドライバ４１は、供給されたトラッキングサーボ信号ＴＳに基づき生成したトラッキングドライブ信号ＴＤによって、２軸アクチュエータ２１のトラッキングコイルを駆動する。
これにより、対物レンズ２０が、基準面用レーザ光のスポットを基準面Ｒｅｆ上のトラックに追従させるように駆動されるか、或いは記録層用レーザ光のスポットを記録層３上のトラックに追従させるように駆動される。
【００７３】
コントローラ４４は、例えばＣＰＵ（Central Processing Unit）やＲＯＭ（Read Only Memory）、ＲＡＭ（Random Access Memory）などのメモリ（記憶装置）を備えたマイクロコンピュータで構成され、例えば上記ＲＯＭ等に記憶されたプログラムに従った制御・処理を実行することで、記録再生装置１０の全体制御を行う。
例えばコントローラ４４は、再生処理部３５で得られた記録層アドレスや、アドレス検出部３８で得られた基準面アドレスＡＤＲに基づき記録層用サーボ回路３６、基準面用サーボ回路３９に対する指示を行って、基準面用レーザ光、記録層用レーザ光のスポット位置を所定アドレスに移動させるシーク動作制御を行う。
また、コントローラ４４は、記録層用サーボ回路３６、基準面用サーボ回路３９、及びスイッチＳＷに対する指示を行うことで、多層記録媒体１に対する記録、再生、基準面Ｒｅｆを利用したシーク時などの各場合に応じた手法でのフォーカスサーボ制御、トラッキングサーボ制御を実行させる。
【００７４】
コントローラ４４は、図示しないホスト機器からの記録コマンド、再生コマンドに応じて、以上の再生動作、記録動作、アクセス（シーク）動作、及びそれらのためのサーボ実行制御を行うことになる。
また、ホスト機器からの指示以外に、例えば多層記録媒体１における管理情報の読出や更新など、必要に応じて再生動作、記録動作、アクセス（シーク）動作、及びそれらのためのサーボ実行制御を行う。
【００７５】
メモリ４７は、コントローラ４４がワーク領域や各種の情報を記憶するＲＡＭ領域として示している。
例えばホスト機器との通信データの記憶、各レイヤについてのＯＰＣ結果としてのレーザパワーの記憶、多層記録媒体１から読み出した管理情報や、記録動作に応じて更新される管理情報等の記憶に用いられる。
特に多層記録媒体１が装填された際には、記録再生装置１０は、基準面Ｒｅｆに記録された基準面メディア情報を読み出すが、その基準面メディア情報は例えばメモリ４７に記憶される。またその後、プリフォーマットメディア情報の読出が行われるが、そのプリフォーマットメディア情報も例えばメモリ４７に記憶される。
【００７６】
＜４．多層記録媒体の製造工程＞
上述のように実施の形態の多層記録媒体１は、平面状に形成される複数の記録層３を有している。そして記録層の一部の領域には、製造工程で予め記録されたプリフォーマットマーク列が形成されている。このプリフォーマットマーク列には、少なくとも、記録層３における記録動作に関する指定情報を含むＰＦメディア情報が記録されている。
また図１に示したように、記録層３とは積層方向に異なる位置に、凹凸パターンが形成された基準面Ｒｅｆが設けられている。そして基準面Ｒｅｆの凹凸パターンにより、少なくとも、記録層３の再生条件情報を含む基準面メディア情報が記録されている。
ここでは、このような層構造及びＰＦメディア情報、基準面メディア情報が形成された多層記録媒体１の製造工程を説明する。
【００７７】
製造工程は、大きく分けて次のようになる。
工程１：原盤製造工程
工程２：スタンパ製造工程
工程３：射出成形工程
工程４：層構造形成工程
工程５：プリフォーマット工程
各工程について図６を参照しながら順に説明していく。
【００７８】
原盤製造工程では、例えば無機レジストを用いてヒートモードで露光し、原盤上にピットパターンを描く。そして現像処理を行って、露光部分が凹状のピットとなった原盤を作成する。図６Ａ〜図６Ｄに原盤製造工程を模式的に示す。
【００７９】
図６Ａはディスク原盤を構成する原盤基板１００を示している。原盤基板１００としては、例えばシリコンウェハ、石英ガラス等が用いられる。
この原盤基板１００上に、スパッタリング法により図６Ａのように、蓄熱層１０１、無機レジスト層１０２を成膜する
次に図６Ｃのように、マスタリング装置を利用して無機レジスト層１０２に記録信号パターンとしてのピット列に対応した選択的な露光を施し感光させる。
そして無機レジスト層１０２を有機アルカリ現像液により現像することによって、図６Ｄのように所定の凹凸形状のピットパターンが形成された原盤１０３が生成される。
ここで、マスタリング装置は、基準面アドレス及び基準面メディア情報を形成することになるピットパターンが形成されるように、露光を行うことになる。つまり記録信号パターンとは、基準面アドレスと基準面メディア情報を含むデータパターンである。
【００８０】
スタンパ製造工程では、作成された原盤とは凹凸が反転したスタンパを形成する。
即ち図６Ｅのように、生成した原盤１０３の凹凸面上に、電鋳処理により金属ニッケル膜を析出させ、これを原盤１０３から剥離させた後に所定の加工を施し、原盤１０３のピット列形状が転写された成型用のスタンパ１０４を得る（図６Ｆ）。
【００８１】
射出成形工程では、製造されたスタンパ１０４を用いて、凹凸が反転転写されるプラスチックディスク基板を大量に成形する。
即ち金型内にスタンパ１０４を配置させた上、射出成形により、図６Ｇに示すように、熱可塑性樹脂であるポリカーボネートからなる樹脂製の基板８を成形する。そしてスタンパ１０４を剥離し、図６Ｈに示すように凹凸パターンが形成された基板８を作成する。
【００８２】
層構造形成工程では、射出成形により大量に生産される基板８のそれぞれに対し、所定の層構造を形成していく。
まず図６Ｉのように、基板８の凹凸面、即ちスタンパ１０４から転写されたピット列形状の面に、Ａｇ又はＡｇ合金を用いたスパッタ成膜により反射膜７を成膜する。凹凸のピット列形状及び反射膜７により図１で説明した基準面Ｒｅｆが形成される。
そして図６Ｊのように、例えば紫外線硬化型樹脂のスピンコート及び紫外線硬化による手法、或いはシート貼付の手法等で接着層（中間層）６を生成し、さらに記録層３（レイヤＬ０）を形成する。
以降同様に、中間層４、記録層３を順次形成していくことで、図１に示したようなレイヤＬ０〜Ｌ５を有する層構造が形成される（図６Ｋ、図６Ｌ）。そしてレーザ入射面側にカバー層２を生成する。
なお、カバー層２の表面にさらにハードコート層を形成したり、基板２の表面に防湿膜を形成する場合もある。
以上の層構造形成工程で、物理的構造体としての多層記録媒体１が生成される。
特にこの層構造形成工程においては、記録層３（レイヤＬ０〜Ｌ５）は平面状であればよく、従前の光ディスクにおけるグルーブ生成のためのスタンパ処理は不要となる。これにより記録層数大きく増えるような多層化が進んでも、層構造形成は極めて容易となり、各記録層にグルーブ等の凹凸パターンを形成する場合に比べて、製造コストは大幅に削減でき、製造効率は著しく向上する。
【００８３】
続いてのプリフォーマット工程では、図６Ｌのように製造された多層記録媒体１について、プリフォーマットを行う。
図７にプリフォーマット工程を模式的に示す。図６Ｌの状態の多層記録媒体１は、プリフォーマット用の高精度ライタ８０によってプリフォーマットされる。
【００８４】
高精度ライタ８０の記録ヘッド８２は、多層記録媒体１に対し、先の図３を参照して説明した基準面用レーザ光を用いた基準面Ｒｅｆの位置案内子に基づく対物レンズの位置制御（つまり記録層用レーザ光のスポット位置制御）を行うように構成される。
具体的に、高精度ライタ８０の記録ヘッド８２は、記録層用レーザ光と基準面用レーザ光とを共通の対物レンズを介して照射し、基準面用レーザ光の基準面Ｒｅｆからの反射光に基づいて対物レンズの位置（トラッキング方向及びフォーカス方向）を制御するように構成される。さらに記録光用のフォーカス機構として、対物レンズに入射する記録層用レーザ光のコリメーション状態を変化させる機構を具備することで、記録層用レーザ光のスポット位置（フォーカス方向）を所望の記録層３、つまりレイヤＬ０〜Ｌ５のうちの任意のレイヤに合わせることができるように構成されている。
【００８５】
なお、このように基準面用レーザ光と記録層用レーザ光とを共通の対物レンズを介して照射する構成では、スキュー（ｓｋｅｗ）やレンズシフトに伴って基準面用レーザ光と記録層用レーザ光とにスポット位置ずれ（主にトラッキング方向）が生じることにより、意図した位置に記録を行うことができなくなることがある。そこで高精度ライタ８０では、このようなスキューやレンズシフトに伴うスポット位置ずれを高精度に補正するスポット位置ずれ補正部も具備する。一例として、このようなスポット位置ずれ補正部としては、ディスクチルト量、及びレンズシフト量を検出し、それらの検出結果に基づき記録用レーザ光の光軸の傾きを補正するものを挙げることができる。
【００８６】
このような高精度ライタ８０を用いて、例えば各レイヤＬ０〜Ｌ５の所定の領域に、プリフォーマットマーク列Ｍｐとしてのマーク列を形成する。そしてこのプリフォーマットマーク列は、ＰＦメディア情報が記録されたマーク列とされる。
そのため高精度ライタ８０には、ＰＦメディア情報生成部８４が設けられ、ＰＦメディア情報としての記録データが記録処理部８３に供給される。ＰＦメディア情報としてのデータは記録処理部８３で所要の変調処理が施され、記録ヘッド８２に供給される。
高精度ライタ８０では、多層記録媒体１をスピンドルモータ８１により回転させながら、記録ヘッド８２を図示しない移送機構で半径方向の所定の領域に位置させる。そして基準面アドレスから把握できる所定のアドレスから、記録ヘッド８２によるプリフォーマットマーク列Ｍｐの記録を実行する。即ち記録ヘッド８２は、ＰＦメディア情報の変調信号に基づいてレーザ発光制御され、目的のレイヤにプリフォーマットマーク列Ｍｐを形成していく。
【００８７】
図では、多層記録媒体１のディスク外周側の領域にプリフォーマットマーク列Ｍｐを形成する例を示している。なお、プリフォーマットマーク列Ｍｐの形成領域はディスク外周側でなくてもよい。例えば各レイヤＬ０〜Ｌ５について外周側から内周側に記録を進行させる場合は、プリフォーマットマーク列Ｍｐは外周側が好適である。逆に内周側から外周側に記録を進行させる場合、プリフォーマットマーク列Ｍｐは最内周領域に形成するとよい。
また、プリフォーマットマーク列Ｍｐは全てのレイヤＬ０〜Ｌ５に形成する。
【００８８】
以上のプリフォーマット工程によって、多層記録媒体１が完成する。以上のプリフォーマット工程まで完了した多層記録媒体１が、製品として製造工場から出荷されることになる。
なお、後述するが本実施の形態ではプリフォーマットマーク列Ｍｐを利用してＯＰＣを行うため、全てのレイヤＬ０〜Ｌ５にプリフォーマットマーク列Ｍｐを形成するが、プリフォーマットマーク列Ｍｐを利用しない他のＯＰＣ手法を用いる場合、プリフォーマットマーク列Ｍｐは一部のレイヤのみに形成するようにしてもよい。
【００８９】
＜５．ディスクのエリア構造及びＯＰＣ＞
以上のように製造された本実施の形態の多層記録媒体１は、複数の平面状の記録層３（Ｌ０〜Ｌ５）が形成され、記録層３にはＰＦメディア情報が記録されたプリフォーマットマーク列Ｍｐが形成されている。また基準面Ｒｅｆが形成され、基準面Ｒｅｆの凹凸パターンには、基準面アドレスと基準面メディア情報が記録されている。
多層記録媒体１に対する記録や再生のために必要なメディア情報としては、ディスク製造工程でスタンパ１０４で生成される基準面Ｒｅｆに記録される基準面メディア情報と、プリフォーマット工程で記録されるプリフォーマットマーク列ＭｐによるＰＦメディア情報の２つが存在することになる。
このような多層記録媒体１のエリア構造例を図８に示す。
【００９０】
図８では、レイヤＬ０〜Ｌ５及び基準面Ｒｅｆについて、ディスク半径のエリア構造例を示している。各記録層３（レイヤＬ０〜Ｌ５）は、それぞれプリフォーマットエリアＰＦ、管理エリア、ユーザデータエリア、スペアエリア、ミラーエリアが設けられる。
【００９１】
プリフォーマットエリアＰＦは、上述のプリフォーマットマーク列Ｍｐが形成される領域である。
管理エリアは、例えばデータ記録のトラックの情報や交替処理情報等を記録するＴＤＭＡ（Temporary Disc Management Area）と呼ばれる領域である。このＴＤＭＡには、シーケンシャル記録するトラック（ＳＲＲ：Sequential recording range）の現在の状況を示す情報や、スペアエリアを用いた交替処理情報などが逐次記録される。
ユーザデータエリアは、ＳＲＲが設定され、ユーザデータが記録される主データエリアである。
スペアエリアは欠陥領域についての交替や、いわゆるロジカルオーバーライトとしての書換のために用いられる領域である。
ミラーエリアはＴＤＭＡの情報が重複して記録される領域である。ＴＤＭＡミラー領域とも呼ばれる。
このような記録層３の構造はあくまで一例であるが、レイヤＬ０〜Ｌ５では、それぞれ製造段階でプリフォーマットエリアＰＦが設けられる。
【００９２】
一方、基準面Ｒｅｆは、その全面がアドレス・基準面メディア情報記録エリアとされている。即ちディスク半径方向の全域に基準面アドレスが記録されていることに加え、基準面メディア情報が繰り返し記録されている。
なお、基準面メディア情報は、連続して繰り返し記録されなくても、ある程度離散的な状態で繰り返し記録されていてもよい。或いは、基準面メディア情報は、例えばディスク外周側の所定半径範囲に繰り返し記録されていたり、ディスク内周側の所定半径範囲に繰り返し記録されているというものでもよい。
但し、基準面メディア情報は、多層記録媒体１が記録再生装置１０に装填された際に、特に光ピックアップＯＰの位置調整を行わなくとも読み出せることが好適である。その意味で、光ピックアップＯＰがどの半径位置にあっても基準面Ｒｅｆから基準面メディア情報を読み出せるように、全面に連続して（或いは多少離散的でもよいが全面にわたって）基準面メディア情報が記録されていることが好ましい。もしディスク装填時の記録再生装置１０の光ピックアップＯＰの初期位置が例えばディスク外周側などとして決まっているのであれば、外周側のみに基準面メディア情報が繰り返し記録されているものであってもよい。
【００９３】
続いてＯＰＣについて説明する。
多層記録媒体１は、記録再生装置１０の動作として、レーザパワー調整のためのテストライトを含めた記録動作が、各レイヤＬ０〜Ｌ５に対して実行される。このため各レイヤＬ０〜Ｌ５においてそれぞれ試し書き（テストライト）を行うためのＯＰＣエリアが設けられる。
本例では、ＯＰＣエリアはプリフォーマットエリアＰＦ内に設けられるものとしている。換言すれば、製造工程で行うプリフォーマットは、ＯＰＣエリアの生成の意味も持つ。
【００９４】
まず図９ＡでＡＴＳサーボを用いたＯＰＣ動作について説明する。
図９ＡはプリフォーマットエリアＰＦにおける一部のプリフォーマットマーク列Ｍｐを示しているが、このプリフォーマットマーク列Ｍｐに沿ってＯＰＣエリアが形成される。
即ち上述のようにプリフォーマットマーク列ＭｐとしてＰＦメディア情報が記録されるのであるが、このプリフォーマットマーク列Ｍｐのスパイラルトラックの間が、ＯＰＣエリアとして用いられる。
ＯＰＣ動作は、このプリフォーマットマーク列Ｍｐを用いたＡＴＳ（隣接トラックサーボ）をかけながら実行することができる。
【００９５】
図９Ａには、ＡＴＳを行うために照射される、一方の記録層用レーザ光の照射スポットであるＡＴＳスポットＳ_atsと、情報記録のための他方の記録層用レーザ光の照射スポットである記録用スポットＳ_recとを示している。
ＡＴＳでは、例えば記録用スポットＳ_recを先行スポット、ＡＴＳスポットＳ_atsを後行スポットとして、ＡＴＳスポットＳ_atsがマーク列上をトレースするようにトラッキングサーボをかけることになる。
なお、記録再生装置１０が多層記録媒体１に対する記録再生方向としては、ディスク内周側から外周側に向かって進行させる場合や、ディスク外周側から内周側に向かって進行させる場合がある。この図９では、記録方向は外周→内周とされる場合の例で示しているため、先行スポットとしての記録用スポットＳ_recが内周側、後行スポットとしてのＡＴＳスポットＳ_atsが外周側に位置することになる。記録方向は内周→外周とされる場合は逆になる。
【００９６】
ここで、これら記録用スポットＳ_recとＡＴＳスポットＳ_atsとの間の半径方向における離間距離（中心点間の距離）をスポット間距離Ｄｒ−ａとおくと、図のように、この場合のプリフォーマットマーク列Ｍｐは、そのピッチＰｔ（半径方向における形成ピッチ）を、スポット間距離Ｄｒ−ａの２倍以上とするように形成するものとしている。
【００９７】
プリフォーマットマーク列Ｍｐをスポット間距離Ｄｒ−ａの２倍以上となるピッチＰｔにより形成すれば、図示のようにＡＴＳスポットＳ_atsをプリフォーマットマーク列ＭｐにトレースさせるようにＡＴＳを行うことによって、プリフォーマットマーク列Ｍｐの間に対して記録用スポットＳ_recによる記録が行われるようにできる。すなわち、プリフォーマットマーク列Ｍｐの間にＯＰＣの試し書きが行われるようにできる。
【００９８】
なお、プリフォーマットマーク列Ｍｐの間に試し書きを行うことができることで、試し書き時と同様の隣接トラックサーボ（つまりＡＴＳスポットＳ_atsをプリフォーマットマーク列Ｍｐ上にトレースさせるトラッキングサーボ）を行うことによって、試し書きした信号の読み出し（評価）を記録用スポットＳ_rec（再生パワー）を用いて行うことができる。
【００９９】
図９ＢでＯＰＣの具体的手法を説明する。
ＯＰＣの試し書き（テストライト）を行うにあたっては、ＡＴＳスポットＳ_atsがプリフォーマットマーク列Ｍｐ上をトレースするようにＡＴＳによるトラッキングサーボをかける。
そしてその状態で、プリフォーマットマーク列Ｍｐに記録されたアドレス情報を参照し、予め設定された試し書き開始位置に至ったことに応じて、記録用スポットＳ_recによる試し書き（記録用レーザのパワーを逐次変更させるテストライト）を開始する。
これにより試し書きは、図９Ｂのようにプリフォーマットマーク列Ｍｐの間に対して行われることになる。記録用レーザパワーは段階的に変更させていくが、この様子を図９Ｂでは、試し書き記録されるトラックの線の太さで示している。
【０１００】
試し書きが完了したことに応じては、当該試し書きにより記録した信号についての評価を行う。具体的には、試し書き時と同様にＡＴＳスポットＳ_atsがプリフォーマットマーク列Ｍｐ上をトレースするようにＡＴＳによるトラッキングサーボをかけた状態とする。そして試し書きした信号を、記録用スポットＳ_rec（再生パワーとする）を用いて読み出し、例えばジッター（Jitter）値など信号品質を評価するための所定の評価値を算出して信号品質評価を行う。
このような信号品質評価の結果に基づき、最適とされる記録パワーを決定し、記録用レーザのパワー調整を行う。これによりＯＰＣが完了する。
【０１０１】
以上のようにプリフォーマットエリアＰＦにおいてプリフォーマットマーク列Ｍｐを用いたＡＴＳをかけた状態でＯＰＣを行う。
これは、試し書きしたマーク列自体を対象としてトラッキングサーボをかけなければならないといった必要をなくすことを意味する。またプリフォーマットエリアＰＦにＯＰＣエリアを設定することで、適切なＯＰＣが実行できることにもなる。
本実施の形態の多層記録媒体１は、記録層３には位置案内子が存在しない。一方でＯＰＣ動作時は、レーザパワーを段階的に変化させながらテストライトを行う。すると、例えばレーザパワーが弱い部分では、マーク列が正しく形成されないこともある。すると、テストライトで形成したマーク列に対してＡＴＳをかけてテストライトを進めていくと、ＡＴＳが適切にかからない部分も発生する可能性がある。これに対しプリフォーマットマーク列Ｍｐを利用すれば、ＡＴＳがかからなくなるということはない。
従って試し書きの開始後２周目以降の試し書きを適正に行うことができなくなってしまうといった事態や、試し書きした信号の評価を適正に行うことができなくなってしまうといった事態の発生を防止でき、ＯＰＣが適正に行われるようにできる。
【０１０２】
なお、プリフォーマットマーク列ＭｐのピッチＰｔをスポット間距離Ｄｒ−ａの２倍以上とするのは、プリフォーマットマーク列Ｍｐの間に試し書きが行われたときに、試し書きにより形成されたマーク列とガイド用プリ記録マーク列Ｍｐとの間隔が光学限界を超えないようにするためである。
但しピッチＰｔはその値を大とするほど記録密度が低下する傾向となる。つまりこの意味で、ピッチＰｔはスポット間距離Ｄｒ−ａの２倍以上という条件を満たす範囲内で最小とすることが望ましい。換言すれば、ピッチＰｔとしては、スポット間距離Ｄｒ−ａの２倍に設定することが、記録密度の低下抑制を図る点で最も望ましいものとなる。
【０１０３】
＜６．基準面メディア情報＞
上述のように基準面Ｒｅｆに記録される基準面メディア情報の具体例を説明する。図１０は基準面メディア情報の内容（Contents）を、バイト位置（Byte Number）及びバイト数（Number of Bytes ）と共に示している。各バイト位置の情報内容は次のとおりとなる。
【０１０４】
・Bytes 0-2：AD layer Type identifier
次世代ディスクレイヤタイプの識別子が特定の文字列で記される
・Byte 3：Contents Length
このバイト以降の基準面メディア情報としてのデータのバイト数を表す（このバイトは含まない）。
・Byte 4：Disc size/Class/Version
Bits b7 to b6：ディスクサイズを示す。例えば１２０ｍｍディスクを表す「００ｈ」が書かれる。
Bits b5 to b4：ディスクのクラス番号を示す。
Bits b3 to b0：ディスクのバージョン番号を示す。
【０１０５】
・Byte 5：AD structure
Bits b7 to b2：ディスクの層数を表す。６層ディスクの場合「000110」と書かれる。
Bits b1 to b0：ディスクのタイプを示す。例えばライトワンスメディアは「01」と書かれる。
・Byte 6：Media Type/Channel bit length
Bits b7 to b4：リザーブ
Bits b3 to b0：記録領域のチャネルビット長を表す。
・Byte 7：Push-Pull polarity flag bits
各ビットbiは、各記録層のPush-Pull信号の極性を表す。
「０」はｉ層のPush-Pull極性がポジティブである。
「１」はｉ層のPush-Pull極性がネガティブである。
記録層が無ければ、biを「０」とする。
・Byte 8：リザーブ
【０１０６】
・Byte 9：Recorded Mark polarity flag bits
各ビットbiは、各記録層の記録マークの極性を表す。
「０」はｉ層の記録マークが未記録の場所より反射率が低いタイプであることを示す。
「１」はｉ層の記録マークが未記録の場所より反射率が高いタイプであることを示す。
記録層が無ければ、biを「０」とする。
・Bytes 10 to 11：リザーブ
・Bytes 12 to 19：Data Zone allocation
４バイトずつそれぞれ、以下のアドレスを示す。
Bytes 11 to 14・・・レイヤＬ０のＴＤＭＡの先頭ＰＳＮ（Physical Sector Number）
Bytes 15 to 18・・・レイヤＬ０のＴＤＭＡミラー領域の最後のＰＳＮ
・Byte 20：リザーブ
【０１０７】
・Bytes 21 to 22：Reading Velocity
リードに関するパラメータの基準となる線速度。記録の基準となる線速度と同じものである。
・Byte 23：Maximum dc read power at the Normal Recording Velocity
基準となる記録速度における最大のリードパワーである。
・Byte 24：Maximum HF modulated read power at the Normal Recording Velocity
基準となる記録速度における最大高周波変調されたリードパワーである。
【０１０８】
・Bytes 25 to 30：Disc Manufacturer ID
光ディスク（多層記録媒体１）の製造所番号である。
・Bytes 31 to 33：Media Type ID
ディスク製造所がこのメディアに割り当てる識別子（ＩＤ）である。
・Bytes 34 to 35：Time stamp
マスターディスクが製造された日時である。
・Byte 36：Product Revision number
リビジョンナンバが記録される。
【０１０９】
基準面メディア情報は例えば以上のような内容とされる。
特に「AD structure」として多層記録媒体１の記録層３の構造が示され、また「Data Zone allocation」として記録層３の概略的なエリア構造が示されている。
また再生条件情報として再生速度や再生レーザパワーの情報が、「Reading Velocity」「Maximum dc read power at the Normal Recording Velocity」として示されている。
これらにより、記録再生装置１０のコントローラ４４は、少なくとも基準面メディア情報を読み込むことで、多層記録媒体１に対する再生動作設定が可能となる。
【０１１０】
この基準面メディア情報は、基準面アドレスとともに基準面Ｒｅｆの凹凸パターンとして多層記録媒体１に記録される。
基準面Ｒｅｆには例えば１周あたり６４個のアドレス情報が記録されている。
例えば図１１に示すように４８ビットが１単位のアドレスデータユニットとされる。この４８ビットは、４ビットの「Type」、８ビットの「Sector Address」、１６ビットの「Track Address」、４ビットのＡＵＸ、１６ビットのＣＲＣで形成される。
「Sector Address」と「Track Address」で、２４ビットの基準面アドレスが形成される。
このような基準面アドレスのアドレスデータユニット内の４ビットのＡＵＸを利用して、基準面メディア情報を記録する。
即ち図示のように、各データ単位から４ビットのＡＵＸを取り出す。２つのアドレスデータユニットの各４ビットで、基準面メディア情報の１バイトを構成する。基準面メディア情報を図１０のように３６バイトとした場合、基準面Ｒｅｆの凹凸パターンのトラックの１周強で、図１０の基準面メディア情報内容が記録できる。
このような基準面メディア情報が、ディスク半径方向の全域にわたって、基準面アドレスとともに記録されている。
【０１１１】
＜７．プリフォーマットメディア情報＞
続いてＰＦメディア情報の内容を説明する。上述のようにＰＦメディア情報は製造工程におけるプリフォーマット工程で記録される。記録方式はユーザデータエリアの記録方式と同じである。
図１２はＰＦメディア情報の内容（Contents）を、バイト位置（Byte Number）及びバイト数（Number of Bytes ）と共に示している。各バイト位置の情報内容は次のとおりとなる。
【０１１２】
・Bytes 0 to 2：PreFormat Area Disc Information identifier
プリフォーマットエリアに記録されたディスク情報（メディア情報）であることを示す識別子である。この３バイトに、「５０ｈ」「４４ｈ」「４９ｈ」が書かれている。これは、「ＰＤＩ」を表している。
・Byte 3(MSB 4bits)：Application Identifier
ＰＦメディア情報の情報内容を示す。４ビット「００００」は有効なデータなし、「１１１１」はディスクの基本情報、他はリザーブである。
・Bytes 3（LSB 4bits）to 4：Content Length
有効なデータのバイト数が示される。
【０１１３】
・Byte 5（MSB 4bits）：Category
ディスクの種類が示される。
例えば「０００１」は容量２５６Ｇｂｙｔｅの６層ディスクであることを示す。
・Bytes 5(LSB 4bits) to 6：Disc Manufacturer Code
ディスク製造会社のコードである。
・Bytes 7 to 18：Serial Number (ASCII Code)
ディスクのシリアル番号（ASCIIコード）である。
【０１１４】
・Bytes 19 to 26：OPC Structure（L0）
レイヤＬ０のＯＰＣエリアの範囲を示す。
Bytes 19 to 23：レイヤＬ０のＯＰＣエリアの先頭ＰＳＮを示す。
Bytes 24 to 26：レイヤＬ０のＯＰＣエリアの終了ＰＳＮを示す。
・Bytes 27 to 34：OPC Structure（L1）
レイヤＬ１のＯＰＣエリアの範囲を示す。
Bytes 27 to 30：レイヤＬ１のＯＰＣエリアの先頭ＰＳＮを示す。
Bytes 31 to 24：レイヤＬ１のＯＰＣエリアの終了ＰＳＮを示す。
・Bytes 35 to 42：OPC Structure（L2）
レイヤＬ２のＯＰＣエリアの範囲を示す。
Bytes 35 to 38：レイヤＬ２のＯＰＣエリアの先頭ＰＳＮを示す。
Bytes 39 to 42：レイヤＬ２のＯＰＣエリアの終了ＰＳＮを示す。
・Bytes 43 to 50：OPC Structure（L3）
レイヤＬ３のＯＰＣエリアの範囲を示す。
Bytes 43 to 46：レイヤＬ３のＯＰＣエリアの先頭ＰＳＮを示す。
Bytes 47 to 50：レイヤＬ３のＯＰＣエリアの終了ＰＳＮを示す。
・Bytes 51 to 58：OPC Structure（L4）
レイヤＬ４のＯＰＣエリアの範囲を示す。
Bytes 51 to 54：レイヤＬ４のＯＰＣエリアの先頭ＰＳＮを示す。
Bytes 55 to 58：レイヤＬ４のＯＰＣエリアの終了ＰＳＮを示す。
・Bytes 59 to 66：OPC Structure（L5）
レイヤＬ５のＯＰＣエリアの範囲を示す。
Bytes 59 to 62：レイヤＬ５のＯＰＣエリアの先頭ＰＳＮを示す。
Bytes 63 to 66：レイヤＬ５のＯＰＣエリアの終了ＰＳＮを示す。
・Bytes 67 to 530：Reserved (L6 - L64)
７層以上のメディアのためにリザーブされている。
【０１１５】
・Bytes 531 to 532：Disc Information Identifier
この５３１バイトから６２８バイトはＤＩ（Disc Information）の１つのユニットとされる。このバイト位置５３１、５３２の２バイトには「ＤＩ」であることを示す「４４ｈ」「４９ｈ」が書かれている。
・Byte 533：DI Format Number
ＤＩのフォーマット番号が記録されている。
・Byte 534：Number of DI Aux Frames in each DI Block(5 bits)、Number of the Layer to which this DI Unit applies(3bits)
５ビットで各ＤＩブロックにおける付属フレーム数が示される。
また３ビットでこのＤＩユニットが適用されるレイヤ数が示される。
・Byte 535：リザーブ
【０１１６】
・Byte 536：DI Unit sequence number in DI Block
ＤＩブロックとは、１以上のＤＩユニットで構成される単位である。ここではＤＩブロックにおけるＤＩユニットのシーケンスナンバが示される。
・Byte 537：Continuation flag(1bits)、Number of DI bytes in use in this DI Unit(7bits)
Continuation flagは連続するＤＩユニットの有無を示すフラグである。「０」は続きのＤＩ情報が無いことを示し、「１」は次のＤＩユニットがあることを示す。次のＤＩユニットの配置場所は、Byte1024を先頭とする場所である。
Number of DI bytes in use in this DI Unitとして７ビットで、このＤＩユニットのバイト数が示される。
・Bytes 538 to 544：リザーブ
【０１１７】
・Bytes 545 to 546：Recording Velocity
記録時の線速度である。
・Byte 547：Spiral Number per Layer
１つの記録層に形成されるスパイラル数、つまり図２に示したスパイラル数＝１のシングルスパイラルと、スパイラル数２のダブルスパイラルの別を示す。或いはそれ以上の多重スパイラルのスパイラル数を表す。
・Bytes 548 to 549：Minimum Track Pitch
動作が保証される最小トラックピッチを表す。書かれている値ｎは、ｎ＝Tp_min＊１０００で計算される値である。最小トラックピッチTp_minの単位はμｍである。
・Bytes 550 to 558：Write  Parameters
ライトストラテジ等、ディスクへの記録に必要なパラメータが示される。ライトストラテジとは、記録レーザの駆動パルスの波形情報である。パルス形状、パルス数、パルス幅、パルスレベルを含めた情報である。
・Bytes 559 to 616：リザーブ
【０１１８】
・Bytes 617 to 622：Disc Manufacturer ID
光ディスク（多層記録媒体１）の製造所番号である。
・Bytes 623 to 625：Media Type ID
ディスク製造所がこのメディアに割り当てる識別子（ＩＤ）である。
・Bytes 626 to 627：Time stamp
マスターディスクが製造された日時である。
・Byte 628：Product Revision number
リビジョンナンバが記録される。
【０１１９】
Byte 629以降は、必要に応じてＤＩユニットが１１２バイト単位で繰り返し記録される。
プリフォーマットエリアに記録するデータの上限は、１クラスタに収まる６５５３６バイトである。
図１３はＤＩとしてのデータ内容例を示す。
ＤＩユニットが必要数記録されて、図１３のようなＤＩブロックとしてのデータ内容が示されることになる。
図１３のシーケンスナンバは、Byte 536のDI Unit sequence number in DI Blockで示される各ＤＩユニットのナンバである。
ＤＩユニットがＮ個記録され、上記の５３１バイトから６２８バイトの情報によって図示する情報が示される。
例えば記録速度ｖ１（例えば１倍速）における各レイヤにおける推奨ライトストラテジ（preferred WS）（alternative WS）が示される。また記録速度ｖ２，ｖ３など、高速記録のためのライトストラテジが示される。
【０１２０】
このような内容のＰＦメディア情報がプリフォーマットエリアに記録される。
特にプリフォーマットマーク列Ｍｐには、記録層３における記録動作に関する指定情報が記録されている。具体的には、指定情報として、各レイヤＬ０〜Ｌ５のＯＰＣエリアの配置情報が「OPC Structure（L0）」〜「OPC Structure（L5）」として記録されている。
また記録層３に形成するマーク列のトラックピッチ情報が「Minimum Track Pitch」として記録されている。
また記録層３のマーク列を形成するスパイラル数の情報が、「Spiral Number per Layer」として記録されている。
また記録層３への記録のための記録条件情報として、記録速度やライトストラテジ等が「Recording Velocity」「Write  Parameters」として記録されている。
従って、記録再生装置１０のコントローラ４４は、装填された多層記録媒体１に対して、プリフォーマットエリアからＰＦメディア情報を読み出すことで、ＯＰＣ動作や記録動作設定を行うことが可能となる。
【０１２１】
＜８．ディスク装填時の動作＞
多層記録媒体１が記録再生装置１０に装填された際のコントローラ４４の処理を図１４で説明する。
コントローラ４４は多層記録媒体１としての光ディスクが装填されたことを検知したら処理をステップＦ１０１からＦ１０２に進め、基準面Ｒｅｆのリード及び基準面メディア情報の読込のための制御処理を実行する。
この場合コントローラ４４は、光ピックアップＯＰや基準面用サーボ回路３９を制御して、基準面Ｒｅｆの読出を実行させる。これにより光ピックアップＯＰは基準面用レーザ光を基準面Ｒｅｆにフォーカスさせ、その反射光を基準面用受光部２９で受光する。受光信号ＤＴ-svに基づき、基準面用信号生成回路３７は、アドレス検出用信号Ｄadを生成する。そしてアドレス検出部３８でアドレス検出用信号Ｄadに対する復号が行われ、例えば図１２に示したようなデータ形式のアドレスユニットデータが得られる。このアドレスデータユニットから基準面アドレスが復調され、また基準面メディア情報が復調されてコントローラ４４に供給される。コントローラ４４は、基準面メディア情報を例えばメモリ４７に取り込む。
【０１２２】
以上のように基準面メディア情報を読み込むことでコントローラ４４は、記録層３に対する再生のための調整設定が可能になる。そこでコントローラ４４はステップＦ１０３で記録層リードのための設定処理やサーボ調整を行う。
特に「AD structure」として多層記録媒体１の記録層３の構造が示され、また「Data Zone allocation」として記録層３の概略的なエリア構造が示されている。また「Reading Velocity」「Maximum dc read power at the Normal Recording Velocity」として再生速度や再生レーザパワーの情報が示される。これらに基づいて設定処理やサーボ調整を行う。
具体的には再生条件情報として再生速度や再生レーザパワーの情報に基づいてスピンドル回転速度制御や、光ピックアップＯＰから出力する記録層用レーザ光の再生レーザパワー制御を行う。
また、記録層の構造（レイヤ数）に応じて、記録層用レーザ光が例えばレイヤＬ０に合焦するようにサーボ制御を行う。即ち例えば図４に示した固定レンズ１４、可動レンズ１５、及びレンズ駆動部１６によるフォーカス機構を制御する。
【０１２３】
このように再生設定を行ったらコントローラ４４はステップＦ１０４で、プリフォーマットエリアＰＦのリード及びＰＦメディア情報の読出を実行させるように各部を制御する。
この場合コントローラ４４は、光ピックアップＯＰや、記録層用サーボ回路３６、基準面用サーボ回路３９を制御して、例えばレイヤＬ０のプリフォーマットエリアＰＦの読出を実行させる。光ピックアップＯＰは基準面用レーザ光を基準面Ｒｅｆにフォーカスさせ、また記録層用レーザ光をレイヤｌ０にフォーカスさせる。そして記録層用サーボ回路３６に、プリフォーマットマーク列Ｍｐに対して記録層用レーザ光をトレースさせるトラッキング制御を実行させる。
この場合に記録層用信号生成回路３４は、光ピックアップＯＰの記録層用受光部２３からの受光信号ＤＴ-rに基づき、ＲＦ信号（再生信号）を生成する。記録層用信号生成回路３４で得られたＲＦ信号は再生処理部３５に供給され、２値化処理、及び記録変調符号の復号化やエラー訂正処理等の所定の復調処理が施される。これによってＰＦメディア情報としてのデータが再生される。コントローラ４４は再生されたＰＦメディア情報を受け取り、メモリ４７に格納する。
【０１２４】
ＰＦメディア情報を取り込むことで、コントローラ４４は以降、記録のための動作が可能となる。
まず、「OPC Structure（L0）」〜「OPC Structure（L5）」の情報により、コントローラ４４は各レイヤＬ０〜Ｌ５のＯＰＣエリアを確認でき、ＯＰＣを実行できる。これにより各レイヤＬ０〜Ｌ５での最適記録レーザパワーを判定できる。
また記録速度やライトストラテジ等の記録条件情報である「Recording Velocity」「Write  Parameters」によって、記録速度及びそれに応じたライトストラテジを知ることができ、記録動作のための設定が可能となる。
さらに記録層３のマーク列を形成するスパイラル数の情報「Spiral Number per Layer」により、シングルスパイラル記録を行うのかダブルスパイラル記録を行うのかを判別できる。
これら、記録のための情報を取得することでコントローラ４４は、その後ステップＦ１０５で、例えばホスト機器からのライトコマンドに応じて記録制御処理を行うことができる。
【０１２５】
以上の実施の形態の多層記録媒体１と記録再生装置１０について、まとめると次のようになる。
多層記録媒体１には、基準面Ｒｅｆに、半径方向全域わたって基準面メディア情報が繰り返し記録されている。この基準面メディア情報には、記録層３をリードするために必要な情報（再生パワーや再生速度等の再生条件情報）が含まれている。
また多層記録媒体１には、プリフォーマットエリアＰＦに、ＰＦメディア情報が記録されており、ＰＦメディア情報には記録動作に必要な各種の指定情報が含まれている。例えばＯＰＣエリアの配置情報、記録速度、ライトストラテジ等の記録条件情報が記録されている。
【０１２６】
記録再生装置１０は、このような多層記録媒体１が装填された場合、即座に基準面Ｒｅｆのリードを行うことで、記録層３の再生動作可能とすることができる。
基準面Ｒｅｆは、デフォルトの設定（無調整）で再生が可能である。そして基準面Ｒｅｆに全面にわたって基準面メディア情報が記録されている。このため、光ピックアップＯＰが多層記録媒体１の半径方向のどこの位置にあっても、即座に基準面メディア情報の読出が可能である。
また基準面メディア情報は基準面アドレスとともに記録されている。このためアドレス読み出しと基準面メディア情報の読み出しの処理を兼用出来る。つまりハードウエア、ソフトウエア処理の共通化が出来る。
これらのことから、基準面読出は簡易な構成で迅速に実現できる。そして基準面メディア情報に基づいた再生設定でプリフォーマットエリアＰＦの読出ができる。結局ディスク装填時の初期動作時間を短縮できる。
【０１２７】
プリフォーマットエリアの再生については、通常のデータ再生と同じ処理で情報を読み出すことが可能なので、専用の調整も不要で、通常のリードと兼用できる。そしてＰＦメディア情報を得ることにより、記録が可能となる。
【０１２８】
また記録再生装置１０は、ディスク製造工程上のプリフォーマット工程で記録するプリフォーマット領域ＰＦに記録したＯＰＣエリアの配置情報をもとに、ＯＰＣエリアを利用する。つまりディスク製造工程のプリフォーマット工程の際に、ＯＰＣエリアの位置やサイズを決めることになる。記録再生装置１０は、その情報を元にＯＰＣエリアを使用すれば良い。
言い換えれば、図６で説明した層形成工程までの状態の光ディスクが成形された後において、プリフォーマットでのＰＦメディア情報の記録によって、多様な多層記録媒体１を提供できることにもなる。
例えばＯＰＣエリアの配置やサイズの異なる多種類の光ディスクも容易に提供できる。
またシングルスパイラル、ダブルスパイラル等の各種の光ディスクも容易に提供できる。
またトラックピッチの指定が異なる各種光ディスクも容易に提供できる。
これらのことから、実施の形態のシステムは、多様な種別の多層記録媒体１を容易に提供できるとともに、記録再生装置１０は、それらの多層記録媒体１に対して、装填時の初期動作を容易迅速に行うことが可能となる。
【０１２９】
例えばＢＤシステム等の従前のディスクシステムと比較する。ＢＤシステム等では、ディスクＩＤ等のディスクの基本情報はＢＣＡ（Burst Cutting Area）に記録されたり、ピットやグルーブによる固定的な情報としてＰＩＣと呼ばれる領域に記録されていた。
ＢＣＡ等の領域を用いることは、通常のデータ領域と違う特殊な再生動作が必要で、通常動作では必要ない再生機能が記録再生装置に求められた。
また記録パラメータ等も特定の個所に記録されていたため、ディスクマウント時に特定の位置へシークして読み出す必要があった。さらにＯＰＣ領域の配置やサイズは、フォーマットで規定されていて変更が不能だった。
本実施の形態の場合、基準面メディア情報の読出には通常の再生とは異なる再生機能を必要としない。また特定の半径位置にシークしなくとも読出が可能である。
ＰＦメディア情報に関しては、スタンパ転写による凹凸パターンで形成されるものではない。つまりは、物理的な層構造を生産した後、多様な記録条件、ＯＰＣ配置の光ディスクを、ＰＦメディア情報内容を変えることで容易に生産できる。本実施の形態では、これらの点で従前の光ディスクシステムにはない効果を得ることができる。
【０１３０】
＜９．変形例＞
以上、実施の形態を説明してきたが、本開示の技術は多様な変形例、応用例が考えられる。
実施の形態の多層記録媒体１や記録再生装置１０は一例に過ぎない。多層記録媒体１の構造や記録再生装置１０の構成は各種考えられる。
多層記録媒体１はレイヤＬ０〜Ｌ５の６層ディスクとしたが、記録層３がレイヤＬ０のみの１層のものでもよいし、６層以外の複数層でもよい。
また多層記録媒体１は、例えば図６で説明したように記録層３としての物理的な層構造が形成されるものとしたが、記録或いはプリフォーマットによって結果的に複数の記録層３が形成されるものでもよい。例えばいわゆるバルク型記録媒体として、図１の記録層形成領域５が１つのバルク記録層とされるものである。バルク記録層の場合、マーク記録が行われる記録層位置を予め規定する層構造が物理的に形成されているものではないが、例えばバルク記録層内の或る厚み方向位置にプリフォーマットを行うことで、１又は複数の平面状の記録層が形成されることとなる。
【０１３１】
実施の形態では、６層の全レイヤＬ０〜Ｌ５にプリフォーマットエリアＰＦを設ける例を述べたが、プリフォーマットエリアＰＦは一部の記録層のみに設けるような例も考えられる。上述のようにプリフォーマットエリアＰＦにおいてＯＰＣを実行する場合は、各レイヤにプリフォーマットエリアＰＦを設ける必要があるが、ＯＰＣを他の領域で実行するような場合、ＰＦメディア情報を或るレイヤのプリフォーマットエリアＰＦとして記録すれば、他のレイヤにプリフォーマットエリアＰＦを形成しなくてもよいことも考えられる。
また、全てのレイヤにプリフォーマットエリアＰＦを形成するとしても、実際にマーク列としてＰＦメディア情報が記録されるプリフォーマットエリアＰＦは、一部のレイヤのみとしてもよい。
【０１３２】
実施の形態では記録層３が平面のディスクとしたが、記録層に例えばグルーブを形成したディスクについても本開示の技術を適用することは可能である。
また基準面Ｒｅｆのないディスクも想定される。基準面Ｒｅｆが存在せずに、プリフォーマットエリアＰＦにＰＦメディア情報が記録されている記録媒体である。例えばプリフォーマットマーク列の再生条件が固定的であれば、プリフォーマットエリアＰＦの読出が可能となるためである。
【０１３３】
また、光ディスクとしての多層記録媒体１を例に挙げたが、本開示の技術が適用できる記録媒体は光ディスク形状の記録媒体に対するものに限られない。例えばカード状の記録媒体や、それに対する記録装置にも適用できる。
【０１３４】
なお本技術は以下のような構成も採ることができる。
（１）平面状に形成される１又は複数の記録層を有し、
上記記録層の一部の領域には、製造工程で予め記録されたプリフォーマットマーク列が形成されているとともに、
上記プリフォーマットマーク列には、少なくとも、上記記録層における記録動作に関する指定情報が記録されている記録媒体。
（２）上記プリフォーマットマーク列には、上記指定情報として、テストライトエリア配置情報と、上記記録層に形成するマーク列のトラックピッチ情報と、上記記録層のマーク列を形成するスパイラル数の情報と、上記記録層への記録のための記録条件情報とのうちの少なくとも一部が記録される上記（１）に記載の記録媒体。
（３）上記記録層とは積層方向に異なる位置に、凹凸パターンが形成された基準面が設けられており、
上記基準面の凹凸パターンにより、少なくとも、上記記録層の再生条件情報が記録されている上記（１）又は（２）に記載の記録媒体。
（４）上記基準面の凹凸パターンにより、さらにアドレス情報が記録されている上記（３）に記載の記録媒体。
（５）上記基準面には、上記記録層の再生条件情報が、基準面全域の範囲で繰り返し記録されている上記（３）又は（４）に記載の記録媒体。
（６）上記記録層の再生条件情報が少なくとも記録された上記基準面の凹凸パターンは、エンボスピット列又はウォブリンググルーブの形態で、製造工程において形成される上記（３）乃至（５）のいずれかに記載の記録媒体。
【０１３５】
（７）平面状に形成される１又は複数の記録層を有し、上記記録層の一部の領域には、製造工程で予め記録されたプリフォーマットマーク列が形成されているとともに、上記プリフォーマットマーク列には、少なくとも、上記記録層における記録動作に関する指定情報が記録されている記録媒体に対して、レーザ照射を行って上記記録層についての記録及び再生動作を行う記録再生部と、
上記記録再生部に上記プリフォーマットマーク列の再生を実行させて上記指定情報を取得し、取得した上記指定情報に基づいて上記記録再生部による上記記録層への記録動作を制御する制御部と、
を備えた記録装置。
（８）上記制御部は、上記指定情報として、テストライトエリア配置情報と、上記記録層に形成するマーク列のトラックピッチ情報と、上記記録層のマーク列を形成するスパイラル数の情報と、上記記録層への記録のための記録条件情報のうちの少なくとも一部を取得し、取得した指定情報に基づいて、上記記録再生部による上記記録層への記録動作を制御する上記（７）に記載の記録装置。
（９）上記記録媒体は、上記記録層とは積層方向に異なる位置に、凹凸パターンが形成された基準面が設けられ、上記基準面の凹凸パターンにより、少なくとも上記記録層の再生条件情報が記録されており、
上記制御部は、装填された上記記録媒体に対し、上記記録再生部により上記基準面の凹凸パターンについての再生を実行させて上記再生条件情報を取得し、取得した上記再生条件情報に基づいて、上記記録再生部による上記プリフォーマットマーク列に対する再生動作を制御する上記（７）又は（８）に記載の記録装置。
【符号の説明】
【０１３６】
１  多層記録媒体、２  カバー層、３  記録層、５  記録層形成領域、７  反射膜、８  基板、１１-1，１１-2  記録面用レーザ、１９  ダイクロイックプリズム、２０  対物レンズ、２１  ２軸アクチュエータ、２３  記録層用受光部、２４  基準面用レーザ、２９  基準面用受光部、３１  記録処理部、３２，３３  発光駆動部、３４  記録層用信号生成回路、３５  再生処理部、３６  記録層用サーボ回路、３７  基準面用信号生成回路、３８  アドレス検出部、３９  基準面用サーボ回路、４２  スライド駆動部、４３  スライドドライバ、４４  コントローラ、４６  演算部、４７  メモリ、Ｒｅｆ  基準面、ＯＰ  ピックアップ
【図１】
2013225361.tif 000003
【図２】
2013225361.tif 000004
【図３】
2013225361.tif 000005
【図４】
2013225361.tif 000006
【図５】
2013225361.tif 000007
【図６】
2013225361.tif 000008
【図７】
2013225361.tif 000009
【図８】
2013225361.tif 000010
【図９】
2013225361.tif 000011
【図１０】
2013225361.tif 000012
【図１１】
2013225361.tif 000013
【図１２】
2013225361.tif 000014
【図１３】
2013225361.tif 000015
【図１４】
2013225361.tif 000016